(57)【要約】      （修正有）【課題】ブロンズ現象による画質の低下を抑制するために、ブロンズ色に対応する光の色相角を正確に測定する方法および装置及び、測定に基づき十分な画質で記録を行う記録方法を提供する。【解決手段】３８０ｎｍ以上７８０ｎｍ以下の波長領域における吸光度の最小値が１．５以上である表面に付与したインクの正反射光の分光強度を測定し、該分光強度から色相角を算出する。さらに、画像データの色相角に対する色相角の差が小さいインクが最後に吐出されるようにインクの吐出順序を制御する。【選択図】図５
2015021792.tif 000002
【特許請求の範囲】
【請求項１】
記録媒体上に付与された顔料を含有するインクが表す色に対応する、ＣＩＥＬａｂ表色系における色相角を測定するための測定方法であって、
３８０ｎｍ以上７８０ｎｍ以下の波長領域に含まれるそれぞれの波長における吸光度のうちの最小値が１．５以上である所定の表面上における前記インクの正反射光の分光強度を測定する工程と、
該分光強度に基づいて、前記インクが表す色に対応する色相角を決定する工程と、を備えることを特徴とする測定方法。
【請求項２】
前記所定の表面は、無彩色であることを特徴とする請求項１に記載の測定方法。
【請求項３】
前記所定の表面は、前記記録媒体上に形成された前記インクと異なる他インクの層の表面であることを特徴とする請求項１または２に記載の測定方法。
【請求項４】
前記他のインクは、ブラックインクであることを特徴とする請求項３に記載の測定方法。
【請求項５】
前記記録媒体に対し、前記他のインクを吐出する工程と、
前記記録媒体上に形成された前記他のインクの層に対し、前記インクを吐出する工程と、を更に備えることを特徴とする請求項３または４に記載の測定方法。
【請求項６】
前記所定の表面は、記録用媒体の表面であることを特徴とする請求項１または２に記載の測定方法。
【請求項７】
前記色相角を決定する工程は、前記分光強度からインクが表す色に対応する色度値を算出し、該色度値から前記色相角を算出することを特徴とする請求項１から６のいずれか１項に記載の測定方法。
【請求項８】
それぞれ顔料を含有する第１、第２のインクを含む複数のインクを吐出可能な記録ヘッドと、記録媒体と、の相対的な走査を前記記録媒体上の単位領域に対し複数回行いながら、前記単位領域内の画素に相当する小領域のそれぞれに対して前記記録ヘッドから前記複数のインクを吐出することにより画像を記録する記録方法であって、
それぞれ請求項１から７のいずれか１項に記載の測定方法によって測定した前記第１、第２のインクが表す色に対応する色相角はそれぞれ第１、第２の色相角であって、
前記第１の色相角と前記単位領域内の所定領域に対応する画像データが表す色に対応する画像データの色相角との差が、前記第２の色相角と前記画像データの色相角との差よりも小さく、
前記第１のインクが最後に吐出される前記所定領域内の小領域が、前記第２のインクが最後に吐出される前記所定領域内の小領域よりも多くなるように、前記複数のインクの吐出を制御することを特徴とする記録方法。
【請求項９】
前記第１の色相角と前記画像データの色相角との差は、前記複数のインクが表す色に対応する複数の色相角のそれぞれと前記画像データの色相角との差の中で最小であり、
前記第１のインクが最後に吐出される前記所定領域内の小領域が、前記複数のインクのうちの前記第１のインク以外のインクが最後に吐出される前記所定領域内の小領域よりも多くなるように、前記複数のインクの吐出を制御することを特徴とする請求項８に記載の記録方法。
【請求項１０】
前記第１のインクが前記所定領域内のすべての小領域に対して最後に吐出されるように、前記複数のインクの吐出を制御することを特徴とする請求項８または９に記載の記録方法。
【請求項１１】
前記第１のインクが前記第２のインクよりも後の前記走査にて吐出される前記所定領域内の小領域が、前記第２のインクが前記第１のインクよりも後の前記走査にて吐出される前記所定領域内の小領域よりも多くなるように、前記複数のインクの吐出を制御することを特徴とする請求項８から１０のいずれか１項に記載の記録方法。
【請求項１２】
前記第１のインクが前記所定領域内のすべての小領域に対して前記第２のインクよりも後の前記走査にて吐出されるように、前記複数のインクの吐出を制御することを特徴とする請求項１１に記載の記録方法。
【請求項１３】
前記複数のインクは、顔料を含有する第３のインクを更に含み、
請求項１から７のいずれか１項に記載の測定方法によって測定した前記第３のインクが表す色に対応する色相角は第３の色相角であって、
前記第２の色相角と前記画像データの色相角との差が、前記第３の色相角と前記画像データの色相角との差よりも小さく、
前記第２のインクが前記第３のインクよりも後に吐出される前記所定領域内の小領域が、前記第３のインクが前記第２のインクよりも後に吐出される前記所定領域内の小領域よりも多くなるように、前記複数のインクの吐出を制御することを特徴とする請求項８から１２のいずれか１項に記載の記録方法。
【請求項１４】
前記記録媒体は、表面粗さが０．９μｍ以上であることを特徴とする請求項８から１３のいずれか１項に記載の記録方法。
【請求項１５】
記録媒体上に付与された顔料を含有するインクが表す色に対応する、ＣＩＥＬａｂ表色系における色相角を測定するための測定装置であって、
３８０ｎｍ以上７８０ｎｍ以下の波長領域に含まれるそれぞれの波長における吸光度のうちの最小値が１．５以上である所定の表面上における前記インクの正反射光の分光強度を測定する分光強度測定手段と、
該分光強度に基づいて、前記インクが表す色に対応する色相角を決定する色相角決定手段と、を備えることを特徴とする測定装置。
【請求項１６】
請求項８から１４のいずれか１項に記載の記録方法を実行するために、記録装置のコンピュータを機能させるプログラム。
【請求項１７】
記録媒体上に付与された顔料を含有するインクが表す色に対応する、ＣＩＥＬａｂ表色系における色相角を測定するための測定方法であって、
前記記録媒体上に形成されたブラックインクの層の表面上における前記インクの正反射光の分光強度を測定する工程と、
該分光強度に基づいて、前記所インクが表す色に対応する色相角を決定する工程と、を備えることを特徴とする測定方法。
【請求項１８】
前記色相角を決定する工程は、前記分光強度からインクが表す色に対応する色度値を算出し、該色度値から前記色相角を算出することを特徴とする請求項１７に記載の測定方法。
【請求項１９】
それぞれ顔料を含有する第１、第２のインクを含む複数のインクを吐出可能な記録ヘッドと、記録媒体と、の相対的な走査を前記記録媒体上の単位領域に対し複数回行いながら、前記単位領域内の画素に相当する小領域のそれぞれに対して前記記録ヘッドから前記複数のインクを吐出することにより画像を記録する記録方法であって、
それぞれ請求項１７またはあ８に記載の測定方法によって測定した前記第１、第２のインクが表す色に対応する色相角はそれぞれ第１、第２の色相角であって、
前記第１の色相角と前記単位領域内の所定領域に対応する画像データが表す色に対応する画像データの色相角との差が、前記第２の色相角と前記画像データの色相角との差よりも小さく、
前記第１のインクが最後に吐出される前記所定領域内の小領域が、前記第２のインクが最後に吐出される前記所定領域内の小領域よりも多くなるように、前記複数のインクの吐出を制御することを特徴とする記録方法。
【発明の詳細な説明】
【技術分野】
【０００１】
本発明は測定方法、測定装置、記録方法およびプログラムに関する。
【背景技術】
【０００２】
インクを吐出するための複数の吐出口を配列した記録ヘッドを記録媒体に対して走査させながらインクを吐出する記録走査を行い、記録媒体上に画像を形成するインクジェット記録が従来より知られている。近年では様々な用途の印刷物をインジェット記録により作成するようになってきており、それに応じて様々な種類のインクが使用されている。この中でも、明度の高い画像を形成するために顔料を含むインクを用い、記録媒体の表面上にインクを定着させることにより記録を行う記録装置が知られている。
【０００３】
上述の顔料を含むインクを用いる記録装置では、画像を構成するインクの内部を通過し、インクの色材が照明光のうちの所定の波長領域にある光を吸収した後に反射した光が有する色を記録媒体上に再現された画像の色として観察する。しかしながら、照明光が画像の表面にて正反射してしまうことにより、画像の色と異なる色（以下、ブロンズ色と称する）が観察されてしまう、いわゆるブロンズ現象が発生することが知られている。このブロンズ現象は記録媒体上における画像の品位を著しく低下させる。
【０００４】
特許文献１には記録媒体上の単位領域に対応する画像データの色が表す色相角を算出し、画像データの色相角との差が最も小さい色相角を有するインクが単位領域に対して最後に付与されるように複数のインクの付与順序を決定することが開示されている。これによれば、最表面に付与されたインクの色相角は画像データの色相角と近い値を有するため、ブロンズ現象が発生した場合であってもブロンズ色と画像の色は似通った色であるので、ブロンズ現象に由来する画質の低化を低減することができる。
【先行技術文献】
【特許文献】
【０００５】
【特許文献１】特開２０１１−８３０号公報
【発明の概要】
【発明が解決しようとする課題】
【０００６】
しかしながら、特許文献１に開示された方法によって記録を行った場合では、ブロンズ現象に由来する画質の低化を十分に抑制できない場合が想定される。
【０００７】
以下にこの課題について詳細に説明する。
【０００８】
図１は記録媒体３上に形成されたインク層５０に照明光が入射した際に観察される光を説明するための図である。
【０００９】
インク層５０に照明光が入射した場合、Ａ方向からはインク層５０の表面にて正反射した光ａ−１とインク層５０を通過し、記録媒体３の表面にて正反射した光ａ−２の二つの光が足し合わされて観察される。このうち、インク層５０で正反射した光ａ−１が上述のブロンズ色に対応する。一方、記録媒体３で正反射した光ａ−２はインク層５０を通過しているため、インクの色に対応している。
【００１０】
特許文献１では、ブロンズ色の色相角を測定するため、記録媒体上に形成されたインク層に対しＡ方向から観察される光を検出し、その光に対応する色の色相角を算出している。ここで、特許文献１で検出している光はインク層５０で正反射した光ａ−１と記録媒体３で正反射した光ａ−２が足し合わされた光である。そのため、記録媒体で正反射した光ａ−２の影響が大きい場合、算出された色相角は本来得たい色相角と離れている可能性がある。
【００１１】
そのため、特許文献１における色相角に基づいてインクの付与順序を決定した場合であっても、該色相角がブロンズ色に正確に対応していないため、ブロンズ現象による画質の低下を十分に抑制することができない虞がある。
【００１２】
本発明は上記の課題を鑑みて為されたものであり、ブロンズ現象による画質の低下を抑制するために、ブロンズ色に対応する光の色相角を正確に測定する方法および装置を提供することを目的とするものである。また、上記の方法による測定に基づき、十分な画質で記録を行う記録方法を提供することを目的とするものである。
【課題を解決するための手段】
【００１３】
そこで本発明は、記録媒体上に付与された顔料を含有するインクが表す色に対応する、ＣＩＥＬａｂ表色系における色相角を測定するための測定方法であって、３８０ｎｍ以上７８０ｎｍ以下の波長領域に含まれるそれぞれの波長における吸光度のうちの最小値が１．５以上である所定の表面上における前記インクの正反射光の分光強度を測定する工程と、該分光強度に基づいて、前記インクが表す色に対応する色相角を決定する工程と、を備えることを特徴とする。
【発明の効果】
【００１４】
本発明に係る測定方法および測定装置によれば、ブロンズ色に対応する光の色相角を正確に測定することができる。また、本発明に係る記録方法によれば、十分な画質で記録を行うことができる。
【図面の簡単な説明】
【００１５】
【図１】インク層に照明光が入射した際の光の反射の様子を説明するための図である。
【図２】実施形態における正反射光の測定方法を説明するための概略図である。
【図３】実施形態における正反射光測定装置の制御系の構成を示すブロック図である。
【図４】実施形態に記載の測定方法のメカニズムを説明するための図である。
【図５】実施形態による効果を説明するための図である。
【図６】実施形態で適用する記録装置の斜視図である。
【図７】実施形態で適用する記録装置の側面図である。
【図８】実施形態で適用する記録ヘッドの模式図である。
【図９】一般的なマルチパス記録方法を説明するための図である。
【図１０】一般的なマルチパス記録方法で適用するマスクパターンの模式図である。
【図１１】実施形態で行うマルチパス記録方法を説明するための図である。
【図１２】実施形態における記録制御系の構成を示すブロック図である。
【図１３】実施形態におけるデータの処理過程を説明するブロック図である。
【図１４】実施形態で行うマルチパス記録方法で適用するマスクパターンの模式図である。
【図１５】実施形態におけるデータの処理過程を説明するブロック図である。
【発明を実施するための形態】
【００１６】
（第１の実施形態）
以下に図面を参照し、本発明の第１の実施形態について詳細に説明する。
【００１７】
図２は本実施形態で使用する正反射光の測定装置の模式図である。
【００１８】
評価対象５０１は、記録媒体３上に形成されたインク層である。なお、評価対象５０１は、例えば記録媒体３をエアポンプ等で吸引することにより、できる限り平坦に固定することが好ましい。
【００１９】
評価対象５０１を照明する光源５０２は、ハロゲン電球、キセノンランプ、超高圧水銀ランプ、重水素ランプ、ＬＥＤ等、種々のものを用いることができる。また、それらの光源のうちの複数を組み合わせて光源５０２としても良い。光源５０２は、記録媒体３の表面に垂直な方向に対してφ°だけ傾いた位置に配置される。
【００２０】
受光器５０３は、光源５０２からの光が評価対象５０１に入射した後の正反射光を受光するためのものであり、単受光面形のフォトダイオード、光電管、光電子倍増管、多素子受光面形のＳｉフォトダイオードアレイ等、分光強度を測定できる構成であれば種々のものを適用できる。受光器５０３は、記録媒体３の表面に垂直な方向に対して光源５０２が配置された側の反対側にφ°だけ傾いた位置に配置される。
【００２１】
受光器５０４は、光源５０２からの光を直接受光するためのものであり、受光器５０３と同じ構成のものが適用される。
【００２２】
図３は本実施形態に係る正反射光の測定装置の制御系の構成を示すブロック図である。
【００２３】
ユーザーにより色相角の算出を行う指示が不図示の入力部より入力されると、まず、ＣＰＵ６０１は光源駆動部６０２を駆動させ光源５０２を発光させる。受光部６０３は、光源５０２により発光され、受光器５０４に直接受光した光に関する情報を取得する。また、受光部６０４は、光源５０２により発光され、評価対象５０１に入射した後で正反射した光に関する情報を取得する。受光部６０２、６０４により取得されたそれぞれの光に関する情報はＣＰＵ６０１へと伝送され、後述する各種の計算が行われる。後述する計算により求められた色相角の値はメモリ６０５へと伝送され、記憶される。記憶された色相角は表示制御部により測定装置の外部に設けられた不図示のディスプレイにユーザーに確認可能な形式にて表示される。
【００２４】
なお、ここでは光源の駆動や色相角の算出を１つのＣＰＵからの指令により行う形態を記載したが、それぞれ異なる制御部からの指令に基づいて行う形態であっても良い。
【００２５】
以下、色相角θの算出方法の一例を示す。
【００２６】
受光器５０３によって測定される評価対象５０１からの正反射光の分光強度Ｒｘ（λ）から、下式によって、正反射光の三刺激値Ｘｘ、Ｙｘ、Ｚｘを算出する。
【００２７】
Ｘｘ＝∫Ｒｘ（λ）ｘ（λ）ｄλ
Ｙｘ＝∫Ｒｘ（λ）ｙ（λ）ｄλ            ・・・式（１）
Ｚｘ＝∫Ｒｘ（λ）ｚ（λ）ｄλ
ここで、ｘ（λ）ｙ（λ）ｚ（λ）はＪＩＳ  Ｚ  ８７８２の等色関数、
積分範囲はλ＝３８０ｎｍから７８０ｎｍ。
【００２８】
式（１）は光源色の三刺激値の算出方法を示す。これは、図２に示す光学系は正反射光を測定するため、例えば光沢紙のように光沢の度合いが大きいものは正反射光の測定値のレンジは光源の測定に近くなる。つまり、光源からの光を直接測光する測定系に類似する。従って、正反射光の分光強度を光源の相対分光分布とみなして、光源色の三刺激値の算出方法に従う。
【００２９】
次に、受光器５０４によって測定される光源５０２の分光強度Ｓ（λ）から、下式によって、光源５０２の三刺激値Ｘｓ、Ｙｓ、Ｚｓを算出する。
【００３０】
Ｘｓ＝ｋ∫Ｓ（λ）ｘ（λ）ｄλ
Ｙｓ＝ｋ∫Ｓ（λ）ｙ（λ）ｄλ            ・・・式（２）
Ｚｓ＝ｋ∫Ｓ（λ）ｚ（λ）ｄλ
ここで、ｋは比例定数で、Ｙｓの値が測光量に一致するように定める。
【００３１】
次に、評価対象５０１の正反射光の三刺激値Ｘｓ、Ｙｓ、Ｚｓと光源５０２の三刺激値Ｘｓ、Ｙｓ、Ｚｓから、ＪＩＳ  Ｚ  ８７２９に基づき、正反射光のＣＩＥＬａｂ表色系における色度値（色座標とも称する）ａ＊、ｂ＊、色相角θを式（３）により算出する。ただし、ＪＩＳ  Ｚ  ８７２９におけるＸ、Ｙ、Ｚ値には正反射光の三刺激値Ｘｘ、Ｙｘ、Ｚｘを使用し、Ｘｎ、Ｙｎ、Ｚｎ値には光源５０２の三刺激値Ｘｓ、Ｙｓ、Ｚｓを使用する。
【００３２】
ａ＊＝５００｛ｆ（Ｘｘ／Ｘｓ）−ｆ（Ｙｘ／Ｙｓ）｝
ｂ＊＝２００｛ｆ（Ｙｘ／Ｙｓ）−ｆ（Ｚｘ／Ｚｓ）｝        ・・・式（３）
θ  ＝ｔａｎ−１（ａ＊／ｂ＊）
ここで、ｉｆ（Ｘｘ／Ｘｙ＞０．００８８５６）
ｆ（Ｘｘ／Ｘｓ）＝（Ｘｘ／Ｘｓ）１／３；
ｅｌｓｅ
ｆ（Ｘｘ／Ｘｓ）＝７．７８（Ｘｘ／Ｘｓ）＋１６／１１６；
ｉｆ（Ｙｘ／Ｙｓ＞０．００８８５６）
ｆ（Ｙｘ／Ｙｓ）＝（Ｙｘ／Ｙｓ）１／３；
ｅｌｓｅ
ｆ（Ｙｘ／Ｙｓ）＝７．７８（Ｙｘ／Ｙｓ）＋１６／１１６；
ｉｆ（Ｚｘ／Ｚｓ＞０．００８８５６）
ｆ（Ｚｘ／Ｚｓ）＝（Ｚｘ／Ｚｓ）１／３；
ｅｌｓｅ
ｆ（Ｚｘ／Ｚｓ）＝７．７８（Ｚｘ／Ｚｓ）＋１６／１１６；
図４は本発明で使用するそれぞれの顔料インクのブロンズ色に対応する光を検知するための方法を説明するための図である。
【００３３】
本実施形態では、先に記録媒体３にブラックインクを付与し、記録媒体３上に形成されたブラックインクの層５１上にそれぞれの顔料インクを付与したものを上述の評価対象５０１として色相角の値を算出する。
【００３４】
ブラックインクの層５１は３８０ｎｍ以上７８０ｎｍ以下の波長領域に含まれるあらゆる波長領域の光をほぼ吸収するため、インク層５０を通過した光ｂ−２は記録媒体上で正反射することなく、ブラックインクの層５１に吸収される。したがって、Ａ方向から観察される光は実質的にインク層５０の表面にて正反射したブロンズ色に対応する光ｂ−１のみとなる。したがって、正反射光測定装置の受光器５０３に入射する光はブロンズ色に対応する光ｂ−１のみとなり、算出されるそれぞれの顔料インクのブロンズ色に対応する色相角を正確に算出することが可能となる。
【００３５】
なお、本実施形態におけるブラックインクは、インク層５０を通過した光を吸収する必要があるため、形成されたインク層５０の吸光度が高いことが好ましい。
【００３６】
記録媒体３上におけるブラックインクの層に対して３８０ｎｍ以上７８０ｎｍ以下の波長領域に含まれるそれぞれの波長を有する光を照射した際の吸光度の最小値は１．５以上であるとインク層５０を透過した照明光を十分に吸収することができる。更に、上述の吸光度の最小値が１．６５以上であるとより好ましい。
【００３７】
以下に本実施形態に記載した測定方法によって複数のインクそれぞれのブロンズ色の色相角を算出した結果を示す。
【００３８】
（インクの組成）
本実施形態においてブロンズ色の色相角を算出するインクについて説明する。なお、以下の記載において、部、％とあるものは特に断わらない限り質量基準である。
【００３９】
＜シアンインク＞
（１）分散液の作製
まず、ベンジルアクリレートとメタクリル酸を原料として、常法により、酸価２５０、数平均分子量３０００のＡＢ型ブロックポリマーを作り、水酸化カリウム水溶液で中和し、イオン交換水で希釈して均質な５０％ポリマー水溶液を作成した。
【００４０】
上記のポリマー溶液を２００ｇ、Ｃ．Ｉ．ピグメントブルー１５：３を１００ｇおよびイオン交換水を７００ｇ、を混合し、機械的に所定時間撹拌した後、遠心分離処理によって、粗大粒子を含む非分散物を除去してシアン分散液とした。
【００４１】
（２）インクの作製
インクの作製は、上記シアン分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度２％の顔料インクを調製した。
【００４２】
・上記シアン分散液          ２０部
・グリセリン                １０部
・ジエチレングリコール      １０部
・アセチレングリコールＥＯ付加物（川研ファインケミカル株式会社製）    ０．５部
・イオン交換水          ５９．５部
【００４３】
＜マゼンタインク＞
（１）分散液の作製
まず、ベンジルアクリレートとメタクリル酸を原料として、常法により、酸価３００、数平均分子量２５００のＡＢ型ブロックポリマーを作り、水酸化カリウム水溶液で中和し、イオン交換水で希釈して均質な５０％ポリマー水溶液を作成した。
【００４４】
上記ポリマー溶液を１００ｇ、Ｃ．Ｉ．ピグメントレッド１２２を１００ｇおよびイオン交換水を８００ｇ、を混合し、機械的に所定時間撹拌した後、遠心分離処理によって、粗大粒子を含む非分散物を除去してマゼンタ分散液とした。
【００４５】
（２）インクの作製
インクの作製は、上記マゼンタ分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度４％の顔料インクを調製した。
【００４６】
・上記マゼンタ分散液      ４０部
・グリセリン              １０部
・ジエチレングリコール    １０部
・アセチレングリコールＥＯ付加物（川研ファインケミカル株式会社製）  ０．５部
・イオン交換水        ３９．５部
【００４７】
＜イエローインク＞
（１）分散液の作製
まず、アニオン系高分子Ｐ−１［スチレン／ブチルアクリレート／アクリル酸共重合体（重合比（重量比）＝３０／４０／３０）酸価２０２、重量平均分子量６５００に、水酸化カリウム水溶液で中和し、イオン交換水で希釈して均質な１０％ポリマー水溶液を作成。
【００４８】
上記ポリマー溶液を３００ｇ、Ｃ．Ｉ．ピグメントイエロー７４を１００ｇおよびイオン交換水を６００ｇ、を混合し、機械的に所定時間攪拌した後、遠心分離処理によって粗大粒子を含む非分散物を除去してイエロー分散液とした。
【００４９】
（２）インクの作製
以下の成分を混合し、十分に攪拌して溶解・分散後、ポアサイズ１．０μｍのミクロフィルター（富士フィルム製）にて加圧濾過して、顔料濃度４％の顔料インクを調製した。
・上記イエロー分散液    ４０部
・グリセリン              ９部
・エチレングリコール    １０部
・アセチレングリコールＥＯ付加物（川研ファインケミカル株式会社製）    １部
・イオン交換水          ４０部
【００５０】
＜ブラックインク＞
（１）分散液の作製
まず、酸性カーボンブラック（ＭＡ−７７；三菱化学製、ｐＨ３のもの）を用いて、次亜塩素酸ソーダを用いた通常の液相酸化処理を行う。反応時間および反応温度を適宜調整することによって反応を行い、得られたスラリーをろ過し、顔料粒子を十分に水洗することで、顔料ウェットケーキが得られる。次に、この顔料ウェットケーキを水に再分散させて、電導度が０．２μｓになるまで逆浸透膜で脱塩する。さらに、この顔料分散液（ｐＨ＝８．５）を顔料濃度が１０％になるように濃縮して、自己分散型カーボンブラックが水中に分散された状態の顔料分散液を得た。
【００５１】
（２）インクの作製
上記方法で得られた顔料分散液を使用し、下記組成比を有する成分を混合し、十分に撹拌した後、ポアサイズ２．５μｍのメンブレンフィルタにて加圧ろ過して顔料を含有するインクを作製してインクとした。
・上記顔料分散液                                                  ３０．０部
・グリセリン                                                        ７．０部
・ポリエチレングリコール１０００（分子量１０００）                  １．５部
・ゾニールＦＳＯ−１００（デュポン製フッ素系界面活性剤）            ０．５部
・アクリルシリコーン共重合体（サイマックＵＳ−４５０；東亞合成製）  ５．０部
・イオン交換水                                                    ５６．０部
記録媒体３はキヤノン製プレミアム光沢紙（商品名「プレミアム光沢紙［厚口］ＬＦＭ−ＧＰＰ」）、測定装置は前述のブロンズ現象測定装置を用いた。
【００５２】
上述のインクと記録媒体を用いて、記録媒体３に対してブラック（Ｋ）インクを１００％のデューティで付与し、形成されたブラックインクの層の表面上にシアン（Ｃ）インク、マゼンタ（Ｍ）インク、イエロー（Ｙ）インクを２００％のデューティでそれぞれ付与することで色相角を算出するための試料を作成した。
【００５３】
ここで、記録媒体３が露出しないように、ブラックインクは１６ｍｍ２以上の範囲で隙間なく付与されなければならない。これは測定に使用した分光光度計の測定範囲が１６ｍｍ２であることによる。他の測定装置を用いる場合は、測定範囲に合わせてブラックインクが付与される記録媒体３上の範囲を適宜設定すれば良い。なお、本実施形態で使用したブラックインクであれば、デューティは最低１００％以上であることが望ましい。１００％以下であると記録媒体が露出する可能性があるため、インク層を通過した光が十分に吸収されず、画像表面で正反射した光のみを正確に測定ができない恐れがある。なお、使用するブラックインクの吸光度によっては、１００％以上のデューティであってもインク層を通過した光が充分に吸収されず、より高いデューティが必要な可能性もある。よって、インク層を通過した光が充分に吸収され、ブラックインクが隙間なく印刷されるよう、好ましいデューティを適宜設定すれば良い。
【００５４】
また、比較対象として記録媒体３上にシアンインク、マゼンタインク、イエローインクを２００％デューティで付与した、従来の色相角を算出するために用いられた試料も合わせて作成した。
【００５５】
なお、本実施形態においてインクのデュ−ティは１／１２００インチ（以下「１２００ｄｐｉ」と称する）四方の領域に４．５ｐｌのドットを１つ付与することを１００％とする。
【００５６】
表１に比較例として記録媒体３上の白紙の領域に顔料インクを付与したものを評価対象５０１として算出した色相角と、本実施形態に記載した測定方法に従って測定したブロンズ色の色相角とを比較した結果を示す。
【００５７】
【表１】
2015021792.tif 000003
【００５８】
表１より、比較例の色相角はシアンインクで３３９°、マゼンタインクで５１°、イエローインクで１６５°となり、本実施形態に記載の測定方法に従って算出した色相角はシアンインクで３５°、マゼンタインクで８１°、イエローインクで２５２°となることがわかる。よって、ブロンズ色の色相角と正反射光の色味の色相角は、シアンインクで５６°、マゼンタインクで３０°、イエローインクで８７°ずれていることがわかる。なお、本実施形態に記載の測定方法に従っても、ブラックインクの色相角は比較例の色相角の値と同じ値となっている。
【００５９】
色相角が１６０°である画像データを記録する場合における、上述のそれぞれのインクの色に対応する色相角と画像データが表す色に対応する色相角（以下、画像データの色相角と称する）との差を表２に示す。
【００６０】
【表２】
2015021792.tif 000004
【００６１】
表１より、色相角が１６０°である画像データとインクの色相角との差は、比較例の測定方法により算出した場合、イエローインク、ブラックインク、マゼンタインク、シアンインクの順に大きくなる。したがって、従来のブロンズ現象の抑制方法によれば、イエローインクが最後に記録媒体内の単位領域に吐出されることになる。
【００６２】
これに対し、本実施形態で測定した色相角をインクの色相角として用いた場合、マゼンタインク、ブラックインク、イエローインク、シアンインクの順に色相角が１６０°である画像データとインクの色相角との差が大きくなる。従って、本実施形態ではマゼンタインクが最後に単位領域に吐出されるように吐出順序を制御する。
【００６３】
図５は、記録媒体の単位領域に対しイエローインクを最後に吐出した場合とマゼンタインクを最後に吐出した場合のそれぞれにおけるブロンズ現象の抑制の程度を説明するための図である。
【００６４】
図５では画像データの色相角を１６０°に固定し、明度Ｌ＊と彩度Ｃ＊をそれぞれ異ならせた画像を形成した際に記録媒体上に再現できる色域をＬ＊Ｃ＊平面上で示したものである。破線で示した範囲がイエローインクを最後に吐出した際に再現できる色域であり、実線で示した範囲がマゼンタインクを最後に吐出した際に再現できる色域である。図５から、本実施形態の測定方法に従って算出した色相角に基づいて、マゼンタインクを最後に吐出するように吐出順序を決定した方がブロンズ色の影響を小さくすることができるため、再現できる色域が広くなることがわかる。
【００６５】
なお、本実施形態ではインク層を通過した光を吸収するために、それぞれのインクを記録媒体３上に形成されたブラックインクの層上に吐出する形態について記載したが、本発明はこの形態に限定されるものではない。すなわち、インク層を通過した光を吸収できるだけの吸光度を有するほぼ無彩色の表面に対してそれぞれのインクを付与すれば良く、例えば黒い記録用媒体の表面上にそれぞれのインクを付与して色相角を測定するような形態であっても、正確な色相角の値を得ることができる。
【００６６】
（第２の実施形態）
本実施形態では第１の実施形態で記載した測定方法に従って算出されたブロンズ色に対応する光の色相角に基づいてインクの吐出順序を制御して記録を行う記録方法について記載する。
【００６７】
図６は本発明の第２の実施形態に係る記録装置の内部の構成を部分的に示す斜視図である。また、図７は本発明の第２の実施形態に係る記録装置の内部の構成を部分的に示す側面図である。
【００６８】
記録装置の内部にはプラテン２が配置されており、このプラテン２には記録媒体３を吸着させて浮き上がらないようにするために多数の吸引孔３４が形成されている。この吸引孔３４はダクトと繋がっており、さらにダクトの下部に吸引ファン３６が配置され、この吸引ファン３６が動作することでプラテン２に対する記録媒体３の吸着を行っている。
【００６９】
キャリッジ６は、紙幅方向に延伸して設置されたメインレール５に支持され、Ｘ方向に往復移動することが可能なように構成されている。キャリッジ６は、後述するインクジェット方式の記録ヘッド７を搭載している。なお、記録ヘッド７は、発熱体を用いたサーマルジェット方式、圧電素子を用いたピエゾ方式等、さまざまな記録方式を適用することが可能である。キャリッジモータ８は、キャリッジ６をＸ方向に移動させるための駆動源であり、その回転駆動力はベルト９でキャリッジ６に伝達される。
【００７０】
記録媒体３は、ロール状に巻かれた媒体２３から巻き出すことで給紙される。記録媒体３は、プラテン２の上でＸ方向（走査方向）と交差するＹ方向（搬送方向）に搬送される。記録媒体３は、先端をピンチローラ１６と搬送ローラ１１に挟持されており、搬送ローラ１１が駆動することによって搬送が行われる。また、記録媒体３はプラテン２よりＹ方向の下流ではローラ３１と排紙ローラ３２に挟持され、さらにターンローラ３３を介して記録媒体３は巻取りローラ２４に巻きつけられている。
【００７１】
図８は本実施形態で使用する記録ヘッドを示す。
記録ヘッド７は、第１の実施形態で使用したブラックインク、シアンインク、マゼンタインク、イエローインクをそれぞれ吐出する４つの吐出口列２２Ｋ、２２Ｃ、２２Ｍ、２２ＹがＸ方向に並列されることにより構成される。これらの吐出口列２２Ｋ、２２Ｃ、２２Ｍ、２２Ｙのそれぞれは、インクを吐出する１２８０個の吐出口３０が１２００ｄｐｉの密度でＹ方向に配列されることで構成されている。なお、本実施形態における一つの吐出口３０から一度に吐出されるインクの吐出量は約４．５ｎｇである。
【００７２】
これらの吐出口列２２Ｋ、２２Ｃ、２２Ｍ、２２Ｙは、それぞれ対応するインクを貯蔵する不図示のインクタンクに接続され、インクの供給が行われる。なお、本実施形態にて用いる記録ヘッド７とインクタンクは一体的に構成されるものでも良いし、それぞれが分離可能な構成のものでも良い。
【００７３】
本実施形態では、マルチパス記録方式に従って画像を形成する。以下にマルチパス記録方式について詳細に説明する。
【００７４】
図９は４回の記録走査により記録媒体上の単位領域内に記録を行う際に用いるマルチパス記録方式について示す図である。
【００７５】
また、図１０は上述のマルチパス記録方式におけるそれぞれの記録走査において適用するマスクパターンについて説明するための図である。
【００７６】
インクを吐出する吐出口列２２に設けられたそれぞれの吐出口３０は、副走査方向に沿って４つの記録グループ２０１、２０２、２０３、２０４に分割される。
【００７７】
各マスクパターン２２１、２２２、２２３、２２４はそれぞれ複数の記録許容画素と非記録許容画素が配置されることで構成されている。図９において、黒く塗りつぶされている箇所が記録許容画素を、白抜けで表されている箇所が非記録許容画素を表している。記録許容画素では入力された画像データがインクの吐出を表す画像データである場合に実際にインクを吐出する記録データに変換する。また、非記録許容画素では、インクの吐出を表す画像データが入力された場合であってもインクを吐出しない記録データに変換する。
【００７８】
なお、これらのマスクパターン２２１、２２２、２２３、２２４における記録許容画素は、それぞれ互いに異なる位置であり、且つ、補完的な関係となる位置に配置されている。
【００７９】
以下は記録媒体上にベタ画像を形成する例について説明する。
１回目の記録走査では、記録媒体３上の領域２１１に対して記録グループ２０１からドット配置パターン２２１に従ってインクが吐出される。この結果、記録媒体上では図５のＡに示す位置にインクが吐出される。
【００８０】
次に、記録媒体３を記録ヘッド７に対してＹ方向の上流側から下流側にＬ／４の距離だけ相対的に搬送する。
【００８１】
この後に２回目の記録走査を行う。２回目の記録走査では、記録媒体上の領域２１１に対しては記録グループ２０２からマスクパターン２２２に、領域２１２に対しては記録グループ２０３からマスクパターン２２１に従ってインクが吐出される。この２回目の記録走査の結果、記録媒体３には図５のＢに示すような画像が形成される。
【００８２】
以下、記録ヘッド７の記録走査と記録媒体３の相対的な搬送を順次繰り返す。この結果、４回目の記録走査が行われた後には、記録媒体３のＤの領域２１１ではすべての画素に相当する小領域に対してインクの吐出が完了し、ベタ画像が形成される。
【００８３】
なお以下の説明では、記録媒体における画素相当の領域を単に「画素」として記載することがある。
【００８４】
図１１に本実施形態におけるマルチパス記録方式を説明するための図である。
【００８５】
本実施形態では８回の記録走査によって記録媒体上の単位領域８０に対して画像を完成させる方式を採用する。本実施形態において使用するブラックインクを吐出する吐出口列２２Ｋ、シアンインクを吐出する吐出口列２２Ｃ、マゼンタインクを吐出する吐出口列２２Ｍ、イエローインクを吐出する吐出口列２２Ｙに配列されているそれぞれ１２８０個の吐出口は、記録グループＡ１から記録グループＡ８、記録グループＢ１から記録グル―プＢ８、記録グループＣ１から記録グループＣ８、記録グループＤ１から記録グループＤ８の、それぞれ長さｄを有する８つの記録グループに分割される。ここで、一つの記録グループに含まれる吐出口の個数は１６０個である。
【００８６】
ここで、記録媒体３上の単位領域８０のＹ方向の長さは記録ヘッド７と記録媒体３とのＹ方向への１回の相対移動量に相当し、また、分割された吐出口列２２Ｋ、２２Ｃ、２２Ｍ、２２Ｙにおける一つの記録グループの長さｄに相当する。また、単位領域８０のＸ方向の長さは記録媒体３のＸ方向の長さに相当する。
【００８７】
まず、記録媒体３の単位領域８０が位置８０ａにある際に、記録ヘッド７をＸ方向に走査しながら単位領域８０に対し吐出口列２２Ｋの記録グループＡ１、吐出口列２２Ｍの記録グループＣ１、吐出口列２２Ｍの記録グループＣ１および吐出口列２２Ｙの記録グループＤ１に属する吐出口から、後述するマスクパターンに従ってそれぞれのインクが吐出される。その後、記録媒体３はＹ方向に距離ｄに対応する距離だけ搬送されて、単位領域８０は位置８０ｂへと移動される。この搬送の後、先に記録グループＡ１、Ｂ１、Ｃ１、Ｄ１に属する吐出口からインクが吐出された記録媒体３上の単位領域８０に対し、記録ヘッド７のＸ方向への走査を伴いながら吐出口列２２Ｋの記録グループＡ２、吐出口列２２Ｃの記録グループＢ２、吐出口列２２Ｍの記録グループＣ２および吐出口列２２Ｙの記録グループＤ２に属する吐出口からインクが吐出される。以降、このような距離ｄに対応する距離の記録媒体３の搬送を間に行いながら、記録媒体３上の単位領域８０に対し記録ヘッド７を合計８回走査することにより画像を完成させる。
【００８８】
図１２は、本実施形態における記録制御系の概略構成を示すブロック図である。
【００８９】
ホストコンピュータ３０１は、情報処理装置としての機能を有するパーソナルコンピュータやデジタルカメラなどを用いることができ、記録装置３００に接続することが可能である。ホストコンピュータ３０１は、ＣＰＵ３０２、メモリ３０３、外部記憶部３０４、キーボードやマウス等の入力部３０５、記録装置３００と通信を行うためのインターフェイス３０６を備えている。ユーザーは、メモリ３０３に格納されているプログラムを実行することにより、記録装置３００から出力する画像データを作成することが可能である。ＣＰＵ３０２は、メモリ３０３に格納されたプログラムに従って種々の処理を実行するものであり、画像データに対して後述する色処理や量子化処理等の画像処理などを実行することにより記録装置の記録に用いる記録データを作成する。また、メモリ３０３には実施形態１に記載した測定方法に基づいて算出された記録に使用するそれぞれのインクの色が示す色相角の値を記憶している。記録データは、インターフェイス３０６を介して接続されているインクジェット記録装置３００に送信される。
【００９０】
また、インクジェット記録装置３００は、マイクロプロセッサ等のＣＰＵ３０７、ＣＰＵ３０７のワークエリアとして使用されると共に記録データや各種データの保管等を行うＲＡＭ３０８を備える制御部３０９を有している。また、制御部３０９は、ＣＰＵ３０７の制御プログラムや後述するマスクパターン等の各種データを格納しているＲＯＭ３１０も備えている。さらに、記録装置３００は、インターフェイス３１１、操作パネル３１２、ドライバ３１３、３１４を備えている。ドライバ３１３は、キャリッジを駆動させるためのキャリッジ駆動モータ３１５、給紙ローラを駆動させるための給紙ローラ駆動モータ３１６、搬送ローラを駆動させるための搬送ローラ駆動モータ３１７のそれぞれのモータの駆動を制御し、ドライバ３１４は記録ヘッド７の駆動を制御する。ホストコンピュータ３０１から送信された記録データは、インターフェイス３１１を介して記録装置に受信され、ＲＡＭ３０８に格納される。制御部３０９は、ＲＡＭ３０８に格納された記録データにしたがってキャリッジ駆動モータ３１５、給紙ローラ駆動モータ３１６、搬送ローラ駆動モータ３１７を駆動するためのＯＮ、ＯＦＦ信号をドライバ３１３に、また、吐出信号等をドライバ３１４にそれぞれ出力し、記録媒体に画像を形成する。
【００９１】
図１３は本実施形態の画像処理部における画像処理の過程を説明するためのブロック図である。
【００９２】
Ｓ９０１では、ホストコンピュータ３０１のメモリ３０３にインストールされているプリンタドライバにより、ＲＧＢ多値データにて表された画像データが取得される。この画像データとしては、ユーザーがホスト装置３０１のプログラム（アプリケーション）を利用して作成あるいは取得したデータや、ネットワーク経由で表示されるＷｅｂ画面やデジタルカメラなどの外部機器により撮影あるいは取得したデータがある。
【００９３】
Ｓ９０２では、画像データを記録に用いるインクに対応するＣＭＹＫ多値データへ変換する色変換処理が行われる。
【００９４】
Ｓ９０３では、ホストコンピュータ３０１のメモリ３０３に格納されている２値化パターンにしたがって、ＣＭＹＫ多値データをそれぞれＣＭＹＫ２値データに変換してビットマップデータに展開する。
【００９５】
一方、Ｓ９０４では、Ｓ９０１で取得された画像データを所定領域毎に複数に分割し、画像データのＲＧＢ値から表３に示すＲＧＢ値の各値に対して色相角の値を記憶したルックアップテーブルを参照して、該所定領域ごとに画像データの色相角を算出する。なお、本実施形態においてはＸ方向に８画素、Ｙ方向に４画素の範囲からなる領域を所定領域とする。
【００９６】
【表３】
2015021792.tif 000005
【００９７】
なお、表３に示すルックアップテーブルはＲＧＢデータから計算して色相角を算出することで作成しても良いし、実際にそれぞれのＲＧＢ値を有する画像を記録媒体上に記録し、その画像を測色することで色相角を測定して作成しても良い。
【００９８】
また、表３には２５６×２５６×２５６個の色相角の値を記憶したルックアップテーブルを記載したが、必ずしもＲＧＢ値の各値に対して色相角を記憶する必要はない。例えば、ＲＧＢ値の所定の格子点ごとに色相角を記憶したルックアップテーブルを用い、取得された画像データの色相角が該格子点に対応しない場合には補完計算することにより画像データの色相角を算出しても良い。
【００９９】
Ｓ９０５では、Ｓ９０４で算出された画像データの色相角θｐと、メモリ３０３に記憶された、表１に示すそれぞれのインクの色相角θｃ、θｍ、θｙ、θｋに基づいて、所定領域ごとに画像データとそれぞれのインクとの色相角の差Δθ（以下、単に色相角差とも称する）を算出する。色相角差の算出に用いる具体的な式を式（４）に示す。
画像データとＣインクとの色相角差：Δθｃ＝｜θｐ−θｃ｜
画像データとＭインクとの色相角差：Δθｍ＝｜θｐ−θｍ｜
画像データとＹインクとの色相角差：Δθｙ＝｜θｐ−θｙ｜    ・・・式（４）
画像データとＫインクとの色相角差：Δθｋ＝｜θｐ−θｋ｜
但し、Δθ＞１８０°の場合は、
Δθ（ｃ、ｍ、ｙ、ｋ）＝３６０−｜θｐ−θ（ｃ、ｍ、ｙ、ｋ）｜とする。
（θ（ｃ、ｍ、ｙ、ｋ）はＣ、Ｍ、Ｙ、Ｋインクのいずれの場合にも適応するという意。）
【０１００】
本実施形態では、例としてＲＧＢ多値データの値がいずれも最大値（（Ｒ、Ｇ、Ｂ）＝（２５５、２５５、２５５））である場合を記載する。この場合、Ｓ９０４にて算出される画像データの色相角は５０°であり、それぞれのインクにおける色相角差の表４のように算出される。
【０１０１】
【表４】
2015021792.tif 000006
【０１０２】
Ｓ９０６では、所定領域ごとにＳ９０３にて生成されたシアンインク、マゼンタインク、イエローインク、ブラックインクそれぞれの２値データのうち、Ｓ９０５で算出されたΔθの値が最小のインクに対応する２値データを選択し、Ｓ９０８へと伝送する。例えば、所定領域の画像データの色相角が５０°である場合、シアンインクの色相角差Δθｃが最小であるため、シアンインクの２値データがＳ９０８へと伝送される。また、Ｓ９０６にて選択されなかったインクに対応する２値データはＳ９０７へと伝送される。
【０１０３】
Ｓ９０７では、Ｓ９０６にて選択されなかったインクに対応する所定領域に対応する２値データに対して後述するマスクパターン（ａ）を設定する。
【０１０４】
また、Ｓ９０８では、Ｓ９０６にて選択されたΔθが最小のインクに対応する２値データに対して後述するマスクパターン（ｂ）を設定する。
【０１０５】
Ｓ９０９では、所定領域ごとにＳ９０７、Ｓ９０８においてそれぞれの２値データに設定されたマスクパターンによってマスクパターン処理を行い、それぞれのインクごとに８回の走査のそれぞれに対応する８つの記録データを生成する。
【０１０６】
Ｓ９１０では、Ｓ９０９により生成された記録データを記録装置３００へと転送し、該記録データに従って記録媒体に画像の記録を行う。
【０１０７】
図１４（ａ）は本実施形態において所定領域に対応する２値データに対し、色相角差が最小のインク以外のインクに適用するマスクパターンを説明するための図である。また、図１４（ｂ）は本実施形態において所定領域に対応する２値データに対し、色相角差が最小のインクに適用するマスクパターンを説明するための図である。
【０１０８】
なお、簡単のため、ここでは所定領域に対応する画像データの色相角が５０°である場合を記載する。したがって、所定領域において色相角差が最小であるインクはシアンインクであり、色相角差が最小のインク以外のインクはマゼンタインク、イエローインク、ブラックインクである。また、同じく簡単のため、図１４（ａ）にはマゼンタインクを吐出する吐出口列２２Ｍと該吐出口列２２Ｍに対応するマスクパターンを記載しているが、イエローインクを吐出する吐出口列２２Ｙおよびブラックインクを吐出する吐出口列２２Ｋにも同様のマスクパターンを適用する。
【０１０９】
ブラックインクを吐出する吐出口列２２Ｋの記録グループＡ１から記録グループＡ８までの記録グループ、マゼンタインクを吐出する吐出口列２２Ｍの記録グループＣ１から記録グループＣ８までの記録グループ、イエローインクを吐出する吐出口列２２Ｙの記録グループＤ１から記録グループＤ８までの記録グループには、所定領域を記録する際はそれぞれマスクパターン６１からマスクパターン６８までのマスクパターンが適用される。
【０１１０】
ここで、マスクパターン８１、８２には記録許容比率が１２．５％となるように、また、マスクパターン８３、８４、８５には記録許容比率が２５％となるように記録許容画素が配置されている。また、マスクパターン８６、８７、８８には記録許容画素は配置されていない。
【０１１１】
なお、マスクパターン８１からマスクパターン８５までのマスクパターンの記録許容画素は、それぞれ排他的且つ補完的な位置に配置されている。
【０１１２】
また、シアンインクを吐出する吐出口列２２Ｃの記録グループＢ１から記録グループＢ８までの記録ヘッドには、マスクパターン９１からマスクパターン９８までのマスクパターンがそれぞれ適用される。
【０１１３】
マスクパターン９４、９５、９６には記録許容比率が２５％となるように、また、マスクパターン９７、９８には記録許容比率が１２．５％となるように記録許容画素が配置されている。また、マスクパターン９１、９２には記録許容比率が配置されていない。
【０１１４】
また、マスクパターン８３とマスクパターン９５、マスクパターン８４とマスクパターン９６は、それぞれ同じ位置に記録許容画素が配置されている。更に、マスクパターン８１とマスクパターン８２に配置された記録許容画素の論理和は、マスクパターン９４に配置された記録許容画素と一致する。同様に、マスクパターン９７とマスクパターン９８に配置された記録許容画素の論理和はマスクパターン８５に配置された記録許容画素と一致する。
【０１１５】
したがって、１、２、３回目の記録走査では所定領域内のそれぞれの画素に対してシアンインクは吐出されず、ブラックインク、マゼンタインク、イエローインクのみが吐出される。４回目の記録走査では１、２回目の記録走査で既にブラックインク、マゼンタインク、イエローインクの全てが付与された記録媒体上の所定領域内の画素に対してのみシアンインクが吐出される。５回目の記録走査では、３回目の走査でブラックインク、マゼンタインク、イエローインクが全て付与された所定領域内の画素に対してのみイエローインクが吐出される。また、５回目の記録走査までの記録走査によって、所定領域内のすべての画素に対してブラックインク、マゼンタインク、イエローインクの吐出は終わっている。更に６、７、８回目の記録走査ではブラックインク、マゼンタインク、イエローインクは吐出されず、既に記録媒体の所定領域上にブラックインク、マゼンタインク、イエローインクの全てが付与された位置に対してシアンインクが吐出される。
【０１１６】
このように、図１４（ａ）、（ｂ）に記載した構成によれば、記録媒体の所定領域内のいずれの画素に対しても、色相角差が最小であるシアンインクを最後に吐出することができる。したがって、ブロンズ現象が発生した場合であってもブロンズ色を目立たなくすることが可能となる。
【０１１７】
なお、本実施形態では簡単のためＲＧＢ多値データの値が全て最大値である場合について記載したが、本実施形態は必ずしもこのような形態に限定されない。例えば画像データの色相角が５０°であり、ＲＧＢ多値データの値が最大値ではない場合、シアンインクのデューティが１００％未満となる場合も考えられる。そのような場合、所定領域内においてシアンインクが吐出されない画素が生じるため、本実施形態に記載の記録方法を行っても必ずしも所定領域内のすべての画素においてシアンインクを吐出できるとは限らない。しかしながら、そのような場合であっても所定領域内でシアンインクを吐出する画素については全てシアンインクを最後に吐出することができる。そのため、付与順序を特に定めない形態と比較すれば、本実施形態を適用することによりブロンズ色を目立たなくすることが可能である。
【０１１８】
また、本実施形態では所定領域の画像データの色相角が５０°である場合を説明したため、最後に吐出するインクをシアンインクになるよう設定した。しかしながら、言うまでもないが、本実施形態は必ずしもシアンインクを最後に吐出する形態に限定されるものではない。所定領域の画像データの色相角が１６０°であれば、表２からわかるように色相角差はマゼンタインクにおいて最小となるため、マゼンタインクを最後に吐出するように設定する。また、本実施形態では所定領域をＸ方向に８画素、Ｙ方向に４画素の広さを有する領域としているため、一回の走査で記録する領域に対応する単位領域には複数の所定領域が存在しており、画像データの色相角の算出およびマスクパターンの設定は該所定領域ごとに行っている。すなわち、単位領域内にはシアンインクを最後に吐出する所定領域、マゼンタインクを最後に吐出する所定領域、イエローインクを最後に吐出する所定領域、ブラックインクを最後に吐出する所定領域が入り混じって形成されることになる。
【０１１９】
また、本実施形態には所定領域をＸ方向に８画素、Ｙ方向に４画素の広さを有する領域としたが、この広さは適宜様々な広さを設定することができる。例えば、１画素ごとに画像データの色相角の算出を行っても良いし、単位領域全域を一つの所定領域とみて画像データの色相角の算出を行っても良い。
【０１２０】
（第３の実施形態）
第２の実施形態では所定領域内の画像データの色相角差が最小のインクが常に最後に付与されるようなマスクパターンについて記載した。
【０１２１】
これに対し、本実施形態では、複数のインクのうち所定領域内の画像データの色相角差が相対的に小さいインクを最後に付与する形態について記載する。
【０１２２】
本実施形態では、簡単のため、所定領域内の画像データの色相角が５０°である場合について記載する。なお、第２の実施形態で記載した構成と同じ構成については本実施形態では説明を省略する。
【０１２３】
図１５は本実施形態の画像処理部における画像処理の過程を説明するためのブロック図である。
【０１２４】
なお、Ｓ１００６以外の各ステップにおいては第２の実施形態に記載の画像処理部と同様の画像処理を行う。
【０１２５】
本実施形態では、Ｓ１００６にて、シアンインク、マゼンタインク、イエローインク、ブラックインクの４種類のインクのうち色相角差が小さい（以下、色相角が相対的に小さいとも称する）二つのインクを選択し、Ｓ１００８へと伝送する。一方、４種類のうちの色相角差が大きい（以下、色相角差が相対的に大きいとも称する）残りの２つのインクはＳ１００７へと伝送される。したがって、画像データの色相角が５０°の場合、表４より色相角差が相対的に小さいシアンインクとブラックインクに対応する２値データに対しマスクパターン（ｂ）を、色相角差が相対的に大きいマゼンタインクとイエローインクに対応する２値データに対しマスクパターン（ａ）を適用する。
【０１２６】
したがって、所定領域内のいずれの画素に対しても、マゼンタインク、イエローインクを吐出した後にシアンインク、ブラックインクを吐出することが可能となる。
【０１２７】
本実施形態では、第２の実施形態に比べてより確実にブロンズ色を目立たなくすることができる。すなわち、例えば色相角が５０°である際に色相角差が最小であるシアンインクのデューティが小さい場合、第２の実施形態に記載の方法ではすべての画素に対してシアンインクを付与することができないため、ブロンズ色を目立たなくする効果は小さくなってしまう。これに対し、本実施形態ではそのような場合であっても、シアンインクの次に色相角差の小さいブラックインクをマゼンタインク、イエローインクよりも後に付与することができる。そのため、シアンインクのデューティが小さい場合であっても、ブラックインクによりブロンズ色を効果的に目立たなくすることが可能となる。
【０１２８】
なお、本実施形態では４つのインクのうちの２つのインクのいずれか一方を最後に付与すると記載したが、本実施形態は必ずしもこのような形態に限定されない。例えば、４つのインクのうちの３つのインクのいずれかを最後に付与するようにしても良いし、ライトシアンインク、ライトマゼンタインクを更に吐出することができる場合、６つのインクのうち色相角差が相対的に小さい３つのインクのいずれかを最後に吐出する形態であっても良い。
【０１２９】
以上説明したように、本発明の第１の実施形態に記載の測定方法によれば、ブロンズ色に対応する光の色相角の正確な値を算出することが可能となる。更に、本発明の第２、第３の実施形態に記載の記録方法によれば、ブロンズ色の目立たない記録を行うことが可能となる。
【０１３０】
なお、ブロンズ色は基本的に画像の最表層に付与されたインクの色に応じて変化するため、本発明の第２、第３の実施形態では画像の最表層に付与されるインクを決定する記録方法について記載した。しかしながら、画像の最表層以外に付与されるインクも僅かながらブロンズ色に影響を及ぼしている可能性があり、この影響はインクが付与される層が画像の最表層に近いほど大きいものになると考えられる。したがって、このような場合であっても、本発明の第１の実施形態に記載の測定方法により測定されたインクの色に対応する色相角に基づき、該インクの色に対応する色相角と画像データの色相角との差が大きいインクから順に記録媒体上の所定領域に吐出するよう吐出の順序を制御すれば、ブロンズ色を効果的に目立たなくすることができる。
【０１３１】
また、以上で説明した実施形態では記録媒体として光沢紙を適用したが、本発明はこれに限定されるものではなく、種々の記録媒体に対して適用できる。例えば、マット紙等の記録媒体の表層の凹凸が大きい記録媒体、例えば表面粗さが０．９μｍ以上である記録媒体では一般にブロンズ現象は知覚されないとして認識されているが、出願人の検討によれば実際には上述のブロンズ色が画像の発色に対して影響を与えていることがわかっている。このような表層の凹凸の大きい記録媒体を用いる場合であっても、本発明の第１の実施形態に記載の測定方法によれば正確な色相角の値を測定することができ、また、本発明の第２、第３の実施形態に記載の記録方法によればブロンズ色の影響が小さい画像を記録することができる。
【０１３２】
また、以上で説明した第２、第３の実施形態では、色相角差が最も小さいインク、若しくは色相角差が相対的に小さいインクを常に最後に吐出する形態について記載したが、該インクが最後に付与される画素がそれ以外のインクが最後に付与される画素よりも所定数だけ多くなれば本発明の効果を十分に得ることができる。なお、上述の所定数はインクや記録媒体の種類に応じて適宜設定することができる。
【０１３３】
また、以上で説明した第２、第３の実施形態ではマスクパターンを使用してインクの吐出の順序の制御を行っているが、本発明はそれぞれの画素ごとに記録を行うことが可能な手段を有していれば十分に適用することができ、その手段はマスクパターンに限定されるものではない。例えば、Ｘ方向に並ぶ画素列ごとに振りまき回路により記録データをそれぞれ複数の記録走査に対応する複数のバッファにシーケンシャルに振りまくことにより、各画素の記録をいずれの記録走査で記録するかを決定することによってインクの吐出の順序の制御を行う形態でも本発明の効果を得ることができる。
【符号の説明】
【０１３４】
３  記録媒体
７  記録ヘッド
３０２  ＣＰＵ
３０３  メモリ
５０１  ブラックインクの層
５０２  光源
５０３、５０４  受光器
【図１】
2015021792.tif 000007
【図２】
2015021792.tif 000008
【図３】
2015021792.tif 000009
【図４】
2015021792.tif 000010
【図５】
2015021792.tif 000011
【図６】
2015021792.tif 000012
【図７】
2015021792.tif 000013
【図８】
2015021792.tif 000014
【図９】
2015021792.tif 000015
【図１０】
2015021792.tif 000016
【図１１】
2015021792.tif 000017
【図１２】
2015021792.tif 000018
【図１３】
2015021792.tif 000019
【図１４】
2015021792.tif 000020
【図１５】
2015021792.tif 000021